(57)【要約】【課題】正確且つ簡単にして、例えば旅行者が旅行後に旅行を振り返って思い出すことが容易に行える思い出作成システムの提供。【解決手段】ＧＰＳ信号を受信可能な携帯電話機３０と、ネットワーク１０を介して携帯電話機３０との間で情報授受するものであって、携帯電話機３０にて前記ＧＰＳ信号により算出された携帯電話機３０の位置情報と、この位置情報に関連する日時、文字及び画像のうち少なくとも一つにより表される情報とを経時的に受信し且つ保存した上で、ネットワーク１０を介した自宅情報端末４０又は同行者情報端末５０からの要請の下で前記情報を自宅情報端末４０又は同行者情報端末５０に提示するサーバシステム２０とを具備する。【選択図】　図１
2004086618.tif 000002
【特許請求の範囲】
【請求項１】
ＧＰＳ信号を受信可能な携帯情報端末と、
ネットワークを介して前記情報端末との間で情報授受するものであって、前記情報端末にて前記ＧＰＳ信号により算出された前記情報端末の位置情報と、この位置情報に関連する少なくとも日時を含む情報とを経時的に受信する受信手段と、この受信手段により経時的に受信した情報を保存する情報保存手段と、前記ネットワークを介した特定アクセス元からの要請の下で前記情報保存手段に保存された情報を当該特定アクセス元に提示する情報提示手段とを備えるサーバシステムと
を具備することを特徴とする思い出作成システム。
【請求項２】
ＧＰＳ信号を受信可能な携帯情報端末とネットワークを介して情報授受するサーバシステムが、
前記情報端末にて前記ＧＰＳ信号により算出された前記情報端末の位置情報と、この位置情報に関連する少なくとも日時を含む情報とを経時的に受信し、
この経時的に受信した情報を保存し、
前記ネットワークを介した特定アクセス元からの要請の下で前記情報保存手段に保存された情報を当該特定アクセス元に提示することを特徴とする思い出作成方法。
【請求項３】
ＧＰＳ信号を受信可能な携帯情報端末とネットワークを介して情報授受するコンピュータに、
前記情報端末にて前記ＧＰＳ信号により算出された前記情報端末の位置情報と、この位置情報に関連する少なくとも日時を含む情報とを経時的に受信する手順と、
この経時的に受信した情報を保存する手順と、
前記ネットワークを介した特定アクセス元からの要請の下で前記情報保存手段に保存された情報を当該特定アクセス元に提示する手順と
を実行させることを特徴とする思い出作成プログラム。
【請求項４】
ＧＰＳ信号を受信可能な携帯情報端末とネットワークを介して情報授受するサーバシステムにおいて、
前記情報端末にて前記ＧＰＳ信号により算出された前記情報端末の位置情報と、この位置情報に関連する少なくとも日時を含む情報とを経時的に受信する受信手段と、
この受信手段により経時的に受信した情報を保存する情報保存手段と、
前記ネットワークを介した特定アクセス元からの要請の下で前記情報保存手段に保存された情報を当該特定アクセス元に提示する情報提示手段と
を具備することを特徴とするサーバシステム。
【請求項５】
前記特定アクセス元は、前記情報端末及び個人認証される他の情報端末のうち少なくとも一方であることを特徴とする請求項４記載のサーバシステム。
【請求項６】
更に、前記情報保存手段に保存された情報を位置情報により検索する位置情報機能、前記情報保存手段に保存された情報に基づき前記経時的に受信した情報と地図情報とを組み合わせた移動軌跡を作成する地図編集機能及び前記経時的に受信する情報に記録欄情報を付加する日記帳機能のうち少なくとも一つを有することを特徴とする請求項４又は５記載のサーバシステム。
【発明の詳細な説明】
【０００１】
【発明の属する技術分野】
本発明は、例えば旅行者が旅行後に旅行を容易に思い出すことが可能な思い出作成システム、方法及びプログラム並びにサーバシステムに関する。
【０００２】
【従来の技術】
旅行者が旅行後に旅行を振り返って思い出すには、本人自身の記憶、写真、ビデオ画像、日記帳等の助けを借り手法、また同行者Ｙの記憶、写真、ビデオ画像、日記帳等の助けを借りる手法等がある。
【０００３】
例えば、本人とその同行者とが連れ立って、２００２年７月７日午前１０時にＡ駅に集合し、両人が徒歩でＡ美術館に午前１０時３０分に到着し、同美術館に午前１２時まで滞在した、小旅行があったとする。
【０００４】
かかる事例で、本人及び同行者にとって、旅行時における集合に際しては場所、時間等に関心が注がれ、また行き先に関しても場所、時間等に関心が注がれるが、旅行後に集合、滞在先を思い出すのは記憶、写真、ビデオ画像、日記帳等の助けを借りるものであるため、自ずと不正確なものであった。
【０００５】
また、逆に、正確に思い出すために、記憶、写真撮影、ビデオ画像の撮影、日記帳の書き込み等を入念に行うこととすると、旅行の楽しさを損なう事態も想定され得る。
【０００６】
一方、人の記憶、思い出を手助けする手段として、特開２００１−２９７１５０がある。この公報では、記念碑、記念植樹、墓等の「メモリアルモニュメント」を現地に赴くことを必要としないで、インターネットを利用した映像の提示をもって、思い出を更に鮮明に追体験できるようにしたものである。
【０００７】
【発明が解決しようとする課題】
上述したように、従来、時間及び／又は場所が変化する旅行等の思い出は、記憶、写真、ビデオ画像、日記帳等の助けを借りる手法であったため、不正確であったり、また正確を期すことになると旅行の楽しさを損なうことがあった。
【０００８】
また、特開２００１−２９７１５０のようにインターネットを利用した映像の提示をもって、思い出を更に鮮明に追体験できるようにしたものでは、時間及び／又は場所が変化する旅行等を思い出す手段にはなり得ない。
【０００９】
本発明の目的は、正確且つ簡単にして、例えば旅行者が旅行後に旅行を振り返って思い出すことが容易に行える思い出作成システム、方法及びプログラム並びにサーバシステムを提供することにある。
【００１０】
【課題を解決するための手段】
上記目的を達成するために本発明に係る思い出作成システムは、ＧＰＳ信号を受信可能な携帯情報端末と、
ネットワークを介して前記情報端末との間で情報授受するものであって、前記情報端末にて前記ＧＰＳ信号により算出された前記情報端末の位置情報と、この位置情報に関連する少なくとも日時を含む情報とを経時的に受信する受信手段と、この受信手段により経時的に受信した情報を保存する情報保存手段と、前記ネットワークを介した特定アクセス元からの要請の下で前記情報保存手段に保存された情報を当該特定アクセス元に提示する情報提示手段とを備えるサーバシステムとを具備することを特徴とする。
【００１１】
また、上記目的を達成するために本発明に係る思い出作成方法は、ＧＰＳ信号を受信可能な携帯情報端末とネットワークを介して情報授受するサーバシステムが、
前記情報端末にて前記ＧＰＳ信号により算出された前記情報端末の位置情報と、この位置情報に関連する少なくとも日時を含む情報とを経時的に受信し、
この経時的に受信した情報を保存し、
前記ネットワークを介した特定アクセス元からの要請の下で前記情報保存手段に保存された情報を当該特定アクセス元に提示することを特徴とする。
【００１２】
さらに、上記目的を達成するために本発明に係る思い出作成プログラムは、ＧＰＳ信号を受信可能な携帯情報端末とネットワークを介して情報授受するコンピュータに、
前記情報端末にて前記ＧＰＳ信号により算出された前記情報端末の位置情報と、この位置情報に関連する少なくとも日時を含む情報とを経時的に受信する手順と、
この経時的に受信した情報を保存する手順と、
前記ネットワークを介した特定アクセス元からの要請の下で前記情報保存手段に保存された情報を当該特定アクセス元に提示する手順と
を実行させることを特徴とする。
【００１３】
またさらに上記目的を達成するために本発明は、ＧＰＳ信号を受信可能な携帯情報端末とネットワークを介して情報授受するサーバシステムにおいて、
前記情報端末にて前記ＧＰＳ信号により算出された前記情報端末の位置情報と、この位置情報に関連する少なくとも日時を含む情報とを経時的に受信する受信手段と、
この受信手段により経時的に受信した情報を保存する情報保存手段と、
前記ネットワークを介した特定アクセス元からの要請の下で前記情報保存手段に保存された情報を当該特定アクセス元に提示する情報提示手段と
を具備することを特徴とする。
【００１４】
本発明よる思い出作成システム、思い出作成方法の実施又は思い出作成プログラムの実行によれば、例えば旅行者が旅行にて各所を巡るに際して本発明に係るＧＰＳ信号を受信可能な携帯情報端末を携帯することにより、各所を巡った時に、サーバシステムに情報端末の位置情報と、この位置情報に関連する少なくとも日時を含む情報とが経時的に保存されることになるので、旅行の後で、巡った各所に相当する位置情報と共にこの位置情報に関連する少なくとも日時を含む情報を確認することが可能となり、正確且つ簡単にして旅行を思い出すことが可能となる。
【００１５】
本発明よるサーバシステムによれば、ＧＰＳ信号を受信可能な携帯情報端末を携帯した例えば旅行者が旅行にて各所を巡るに際し、情報端末の位置情報と、この位置情報に関連する少なくとも日時を含む情報とを経時的に受信し、保存することができるので、旅行者は、旅行の後で、巡った各所に相当する位置情報と共にこの位置情報に関連する少なくとも日時を含む情報を確認することが可能となり、正確且つ簡単にして、旅行を思い出すことが可能となる。
【００１６】
【発明の実施の形態】
以下、本発明の一実施形態に係る思い出作成システムを、図面を参照して説明する。
【００１７】
図１は、ＧＰＳ衛星６０からのＧＰＳ信号を受信可能な携帯情報端末として、インターネット及びＧＰＳ（Ｇｒｏｂａｌ　Ｐｏｓｉｔｉｏｎｉｎｇ　Ｓｙｓｔｅｍ）を利用することが可能な携帯電話機を用いた本実施形態のシステム例である。
【００１８】
ネットワーク１０は、公衆電話回線、専用回線、インターネット等であり、サーバクライアントシステムにおけるサーバ側であるサーバシステム２０と、クライアント側である本人Ｘの使用に係る携帯電話機３０と、同クライアント側である特定アクセス元である本人Ｘの使用に係る自宅情報端末４０及び同行者Ｙの使用に係る同行者情報端末５０とを接続している。
【００１９】
サーバシステム２０は、図２に示すように、本体２１を有すると共に思い出データベース２２及び地図データベース２３を付設している。本体２１は、携帯電話機３０にインストールされるべき思い出作成携帯情報端末プログラム２４を保持しており、情報端末からの要請の下で当該思い出作成携帯情報端末プログラム２４がネットワーク１０を介してダウンロードされ得る状態となっている。また、本体２１は、思い出作成用サーバプログラム２５を保持し、該思い出作成用サーバプログラム２５の実行により、詳細は後述する編集処理部２６の動作と、詳細は後述するクライアント側である携帯電話機３０、自宅情報端末４０、同行者情報端末５０からのアクセスを受けて思い出データベース２２及び地図データベース２３にデータ保存及び呼び出しを行い、必要な処理を行うものとなっている。さらに、本体２１は、各種編集処理を行う編集処理部２６及び詳細は後述する管理部２７を有する。
【００２０】
サーバシステム２０の思い出データベース２２は、携帯電話機３０から収集した位置情報と時刻情報とをＩＤ、パスワードで特定される人又は情報端末毎に経時的に蓄積するものであり、この蓄積データは、地図データベース２３の地図データと共に又は単独で自宅情報端末４０及び同行者情報端末５０からのアクセスにより閲覧等され得、また編集処理部２６を介することで編集されたデータとして自宅情報端末４０及び同行者情報端末５０からのアクセスにより閲覧等に供される。
【００２１】
サーバシステム２０の地図データベース２３は、後述する地図編集等において用いる地図データを保持するものである。この地図データは、携帯電話機３０から収集した位置情報及び時刻情報と組み合わせることにより、例えば、地形を鳥瞰図で示した地形上に位置情報及び時刻情報をマッピングした情報を生成することができる。この情報は、自宅情報端末４０及び同行者情報端末５０からのアクセスに応じて当該自宅情報端末４０及び同行者情報端末５０に提供するものとなる。
【００２２】
携帯電話機３０は、無線電話の機能の他にインターネットにアクセスするための例えば簡易ブラウザを搭載すると共にＧＰＳ信号を受信し位置情報を取得する。ここに、簡易ブラウザによりネットワーク１０を介してサーバシステム２０が保持している思い出作成携帯情報端末プログラム２４をダウンロードし、例えばデータ記憶部４２にインストールする。思い出作成携帯情報端末プログラム２４がインストールされた携帯電話機３０は、思い出作成サービスの提供を受けるためサーバシステム２０とアクセスすることが可能となる。
【００２３】
自宅情報端末４０は、インターネットにアクセスするための例えばブラウザを搭載するパーソナルコンピュータであり、図３に示すように、本体４１、思い出作成携帯情報端末プログラム２４及び他のデータを保持するデータ記憶部４２、プリンタ４３及び地図データ記憶部４４を有する。
【００２４】
ここに、自宅情報端末４０及び同行者情報端末５０は、インターネットにアクセスするための例えばブラウザを搭載したものである。自宅情報端末４０及び同行者情報端末５０は、後述する初期設定の設定条件に従って、思い出作成サービスの提供を受けるためサーバシステム２０とアクセスすることが可能となる。
【００２５】
上記において、思い出作成携帯情報端末プログラム２４は、携帯電話機３０により主として思い出作成に係る情報の収集を行うのためプログラムとして記述されている。
【００２６】
次に、本実施形態のシステムの動作について説明する。
【００２７】
先ず、管理部２７による新規加入、初期設定等を行う。この初期設定及び該設定に先立つ本実施形態システムのサービスの加入申し込み等は、サーバシステム２０の管理部２７と携帯電話機３０及び／又は本人自宅情報端末４０との間で行われる。例えば、本人Ｘは、携帯電話機３０からサーバシステム２０に対してアクセスし、加入申し込みを経て、思い出作成携帯情報端末プログラム２４をインストールし、図４に示す各ステップを経て新規加入、初期設定等を行う。
【００２８】
図４において、ステップＴ１にて図５に示すような管理メニュー３００を、携帯電話機３０に表示させる。この管理メニュー３００には、例えば、新規加入欄３０１、初期設定・管理情報欄３０２、位置情報管理欄３０３、編集済データ管理欄３０４、加入者管理欄３０５が設けられている。携帯電話機３０に表示されたこれら各欄を本人Ｘが選択することにより、図４の各ステップが進行し、所定の設定が行われる。
【００２９】
ステップＴ２は、新規加入の処理であり、該ステップを新規加入欄３０１により選択することで、ステップＴ３にてＩＤ及びパスワードが付与される。
【００３０】
ステップＴ４は、初期設定・管理情報の処理であり、該ステップを初期設定・管理情報欄３０２により選択することで、ステップＴ５にて送信元の特定設定、アクセス権の設定、データ収集間隔の設定、ファイル名の設定、ファイル削除のトリガ設定等に係る初期設定又は設定変更等が行われる。
【００３１】
送信元の特定設定は、ＩＤ及びパスワードで特定される操作者又は情報端末であり、ＩＤ及びパスワードに限らず名称を用いることもできる。
【００３２】
アクセス権の設定は、思い出作成サービスの提供を受け得る対象を設定するものであり、例えば、ＩＤ及びパスワードが付与された本人Ｘ又はその情報端末のみ、特定のパスワードで本人Ｘ又はその情報端末以外のものでもアクセス可能であるとして例えば、後述する、自宅情報端末４０、同行者情報端末５０等、誰でもアクセス可能である。
【００３３】
データ収集間隔の設定は、携帯電話機３０がＧＰＳ衛星６０からのＧＰＳ信号を受信することで得る位置情報と時刻情報とをサーバシステム２０に送り、サーバシステム２０が当該情報を思い出データベース２２に保存する時間間隔であり、３０秒毎、１分毎、５分毎のように時間を区切って設定する。もちろん、任意時間に手動操作により携帯電話機３０から送信を行い、またサーバシステム２０にて受信する設定であってもよい。
【００３４】
ファイル名設定は、思い出情報のファイル名を設定するものである。
【００３５】
ファイル削除のトリガ設定は、ファイル削除の時点を、月、日、特定日時、削除しない等で設定する。
【００３６】
ステップＴ６は、位置情報管理の処理であり、該ステップを位置情報管理欄３０３により選択することで、携帯電話機３０から収集した位置情報の管理処理を行う（ステップＴ７）。
【００３７】
ステップＴ８は、編集済みデータ管理の処理であり、該ステップを編集済みデータ管理欄３０４により選択することで、後述する図９に示す編集処理後のデータの管理処理を行う（ステップＴ９）。
【００３８】
ステップＴ１０は、加入者管理の処理であり、該ステップを加入者管理欄３０５により選択することで、加入者の氏名、ＩＤ、パスワード等の管理を行う（ステップＴ１１）。
【００３９】
以上のサーバシステム２０の管理部２７と携帯電話機３０及び／又は本人自宅情報端末４０との間で行われ、加入申し込み及び初期設定を経て、例えば、本人Ｘの携帯電話機３０及び自宅情報端末４０は本実施形態のシステムによるサービスを受け得る状態となり、また同行者Ｙの同行者情報端末５０は本実施形態のシステムによるサービスを条件付きで受け得る状態となり、サーバシステム２０には、先のＩＤ及びパスワードで特定される思い出情報の作業エリアが確保される。
【００４０】
次に、図６を参照してＧＰＳ衛星６０、携帯電話機３０、本人自宅情報端末４０、サーバシステム２０及び同行者情報端末５０の動作について説明する。
【００４１】
先ず、上述した新規加入がなされた下で、本人Ｘは携帯電話機３０及び本人自宅情報端末４０、同行者情報端末５０について初期設定を、サーバシステム２０に対して行うことで、携帯電話機３０はＧＰＳ衛星６０によるＧＰＳ信号をサーバシステム２０に送信し得、本人自宅情報端末４０及び同行者情報端末５０はサーバシステム２０に対して閲覧等のアクセスが可能となる（手順Ｉ）。
【００４２】
次に、本人Ｘは旅行等で携帯電話機３０を携帯し且つＩＤ・パスワード入力を経て、本実施形態のサービスを起動する。これにより、初期設定で定めた時間間隔等に従って、経時的に携帯電話機３０からサーバシステム２０に対して位置情報としてＧＰＳ信号及び時刻情報を送信（アップロード）する。サーバシステム２０では、図７に示すように、ステップＵ１として経時的に携帯電話機３０から受信し、該受信した位置情報及び時刻情報を思い出データベース２２に保存し（ステップＵ２，Ｕ３）、位置情報と時刻情報との関連付け等の必要な処理を行う（手順ＩＩ）。
【００４３】
次に、本人Ｘが、旅行等の後で本人自宅情報端末４０からＩＤ・パスワード入力を経てサーバシステム２０にアクセスし、図９に示す位置情報の検索、地図編集、日記帳等の処理を行うことができる（手順ＩＩＩ）。
【００４４】
また、上記の旅行等に同行者Ｙが有る場合、同行者Ｙは、旅行等の後で同行者情報端末５０からＩＤ・パスワード入力を経てサーバシステム２０にアクセスし、本人Ｘと同様の図９に示す位置情報の検索、地図編集、日記帳等の処理を行うことができる（手順ＩＶ）。
【００４５】
ここで、図８〜図１１を参照して、本人自宅情報端末４０による動作について詳細に説明する。
【００４６】
先ず、図８において、携帯電話機３０からの位置情報及び時刻情報が思い出データベース２２に保存されている。この前提の下で、ステップＳ１として、本人Ｘは、自宅情報端末４０からサーバシステム２０にログイン処理し、自宅情報端末４０にデータをダウンローして、図９に示す思い出作成システムメニュー１００の表示を行う（ステップＳ２）。
【００４７】
思い出作成システムメニュー１００は、位置情報の検索ボタン１０１、地図編集ボタン１０２、日記帳ボタン１０３、思い出データの編集ボタン１０４、印字ボタン１０５及びデータ格納ボタン１０６を含み、本人Ｘの操作により各ボタンをクリックすることでいずれか一のボタンを選択することができ、この画面の終了にて図４及び図６に示す管理情報の登録、修正、削除等を行うことができる。
【００４８】
すなわち、位置情報の検索ボタン１０１を選択することで、位置情報の呼び出し処理が可能となる（ステップＳ３，Ｓ４）。この位置情報の呼び出しは、思い出データベース２２等に対して位置情報を検索キーとして情報を呼び出すことができるものである。
【００４９】
また地図編集ボタン１０２を選択することで、地図編集の処理が可能となる（ステップＳ５，Ｓ６）。この地図編集は、思い出データベース２２及び地図データーベース２３に保存された情報に基づいて、地図情報と位置情報及び時刻情報とを組合せて、例えば、図１０に示す情報を作成して表示するものである。
【００５０】
図１０に示す表示２００においては、思い出データベース２２に保存された位置情報及び時刻情報に基づき、地図データーベース２３から該当する地域の例えば鳥瞰図等の地図情報を呼び出し、該地図情報に、思い出データベース２２に保存された位置情報及び時刻情報を経時的にマッピングする等により作成することができる。この図１０に示す地図編集による表示によれば、本人ＸがＡ駅から何時何分に出発し、Ａ美術館には何時何分間滞在したかが明瞭に把握できるようになる。
【００５１】
さらに、日記帳のボタン１０３を選択することで、日記帳の編集処理が可能となる（ステップＳ７，Ｓ８）。この日記帳の編集は、思い出データベース２２等に保存された位置情報及び時刻情報と新規入力の文字情報等とを組合せて、例えば、図１１に示す日記帳を作成して表示するものである。
【００５２】
図１１に示す表示４００は表形式にて、縦方向欄に時間軸を設定し、横方向欄に、時刻情報に基づく日時欄、位置情報及び時刻情報に基づく滞在欄、場所欄及び新規入力の文字情報による記録欄を設けている。この記録欄は、一般には、本人Ｘが位置情報及び時刻情報に参照することで自宅情報端末４０を操作して、文字情報を入力することにより作成されるが、携帯電話機３０を携帯して位置情報及び時刻情報をサーバシステム２０に送信する時に、同時に文字情報を送信することにより、作成するようプログラムを組むようにしてもよい。
【００５３】
また思い出データの編集ボタン１０４を選択することで、思い出データの編集処理が可能となる（ステップＳ９，Ｓ１０）。この思い出データの編集は、前述した携帯電話機３０からの位置情報及び時刻情報の他に、自宅情報端末４０により手入力した記録欄の情報であり、これら情報を所望に編集することを可能とする。
【００５４】
さらに印字ボタン１０５を選択することで、先に選択した各ボタンによる処理画面等の印字が可能となる（ステップＳ１１，Ｓ１２）。
【００５５】
またデータ格納ボタン１０６を選択することで、先に選択した各ボタンによる処理データ等の格納が可能となる（ステップＳ１３，Ｓ１４）。
【００５６】
この画面の終了にて図４及び図６に示す管理情報の登録、修正、削除等を行うことができる（ステップＳ１５）。
【００５７】
以上のように本実施形態によれば、旅行時において、本人Ｘが携帯電話機３０を携帯して本実施形態のサービスシステムを起動するだけで、経時的に位置情報と時刻情報とをサーバシステム２０に記録することができ、後になって、自宅情報端末４０にて思い出作成システムメニュー１００を介して、経時的な位置情報及び時刻情報に関連付けして位置情報の検索、地図編集、日記帳、思い出データの編集等を任意に行うことが可能となる。よって、旅行等においては、旅行日時、交通機関、滞在先等を容易に思い出すことが可能となる。
【００５８】
なお、上記実施形態において、思い出作成システムメニュー１００にログインできるのは自宅情報端末４０であるとしたが、加入時や初期設定時において、例えば、旅行等における同行者Ｙにも思い出作成システムメニュー１００をアクセスすることが可能なようにＩＤ・パスワード等を付与することができる。もちろん、携帯電話機３０によって思い出作成システムメニュー１００をアクセスするように設定することも可能である。このように本人Ｘのみならず同行者Ｙ等により思い出データにコメント等を書き込む等の編集を加え、各自で閲覧等を行うことにより、複数人によって効果的に思い出を共有することができる。また、上述した編集等をなされた又はなされない思い出データを、本人Ｘ及び同行者Ｙ以外の第三者による閲覧が可能なように公開Ｗｅｂ上に公開してもよい。
【００５９】
上記例で、人が携帯する情報端末としては、インターネットを利用することが可能な携帯電話機３０を例示したが、公衆電話回線、インターネット等のネットワークにアクセス可能な携帯型パーソナルコンピュータ又はＰＤＡ等を採用することができる。また、自宅情報端末４０及び同行者情報端末５０としては、ネットワークにアクセス可能なパーソナルコンピュータ又はＰＤＡ等を採用することができる。
【００６０】
サーバシステム２０における編集処理部２６及び管理部２７は、ハードウェア構成であるかソフトウェア構成であるかは問うものではなく、例えば、編集処理部２６及び管理部２７は、思い出作成サーバプログラム２５と共にソフトウェア構成とすることができ、思い出作成プログラムの一部又は全部を構成している。この思い出作成プログラムは、システムを構成するコンピュータに実行させることのできるプログラムとして、システムに設けられる記憶媒体に格納して頒布することもできる。なお、この記憶媒体としては、磁気ディスク、フロッピーディスク、ハードディスク、光ディスク（ＣＤ−ＲＯＭ、ＣＤ−Ｒ、ＤＶＤ等）、光磁気ディスク（ＭＯ等）、半導体メモリ等、プログラムを記憶でき、かつコンピュータが読み取り可能な記憶媒体であれば、その記憶形式は何れの形態であっても良い。
【００６１】
また、記憶媒体からコンピュータにインストールされたプログラムの指示に基づきコンピュータ上で稼動しているＯＳ（オペーレーティングシステム）や、データベース管理ソフト、ネットワークソフト等のＭＷ（ミドルウェア）等が、本実施形態を実現するための各処理の一部を実行しても良い。
【００６２】
また、記憶媒体は１つに限らず、複数の媒体から本実施形態における処理が実行される場合も本発明における記憶ユニットに含まれ、記憶媒体は何れの構成であっても良い。
【００６３】
また、ここで言うコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００６４】
また、かかるコンピュータは、パソコンに限らず、情報処理機器に含まれる演算処理装置、マイコン等も含み、プログラムによって本発明の機能を実現することが可能な機器、装置を総称している。
【００６５】
【発明の効果】
以上述べたように本発明によれば、正確且つ簡単にして、例えば旅行者が旅行後に容易に旅行を思い出すことが可能な思い出作成システム、方法及びプログラム並びにサーバシステムを提供することが可能となる。
【図面の簡単な説明】
【図１】本発明の一実施形態に係る思い出作成システムの構成図。
【図２】同実施形態におけるサーバシステムの詳細図。
【図３】同実施形態における本人自宅情報端末の詳細図。
【図４】同実施形態における管理処理を示すフロー図。
【図５】同実施形態における管理メニューの表示例を示す図。
【図６】同実施形態におけるＧＰＳ衛星、携帯電話機、本人自宅情報端末、サーバシステム及び同行者情報端末の動作シーケンス図。
【図７】同実施形態における位置情報の収集動作を示すフロー図。
【図８】同実施形態の動作を示すフロー図。
【図９】同実施形態における受付メニューの表示例を示す図。
【図１０】同実施形態における地図編集された思い出情報の表示を示す図。
【図１１】同実施形態おける日記帳の表示を示す図。
【符号の説明】
１０…ネットワーク
２０…サーバシステム
２１…サーバ本体
２２…思い出データベース
２３…地図データベース
２４…思い出作成携帯情報端末プログラム
２５…思い出作成サーバプログラム
２６…編集処理部
２７…管理部
３０…携帯電話機
４０…本人自宅情報端末
５０…同行者情報端末
６０…ＧＰＳ衛星
【図１】
2004086618.tif 000003
【図２】
2004086618.tif 000004
【図３】
2004086618.tif 000005
【図４】
2004086618.tif 000006
【図５】
2004086618.tif 000007
【図６】
2004086618.tif 000008
【図７】
2004086618.tif 000009
【図８】
2004086618.tif 000010
【図９】
2004086618.tif 000011
【図１０】
2004086618.tif 000012
【図１１】
2004086618.tif 000013